(57)【要約】【課題】利用者の携帯端末からの要求に応じてリクエスト履歴を利用者に提供し、以前にカラオケを利用したメンバーがリクエストした楽曲を認識することができるカラオケリクエストシステムを提供することを目的とする。【解決手段】上記課題を解決するために、カラオケを利用したメンバーのメンバー情報及びメンバーがリクエストした歌唱済みの楽曲情報を示すリクエスト履歴を提供するカラオケリクエストシステムであって、携帯端末から上記リクエスト履歴の要求を受信する要求受信手段と、上記リクエスト履歴の要求にカラオケ装置を識別する識別番号を付加し、上記リクエスト履歴を管理するカラオケ管理サーバに上記リクエスト履歴の要求を送信する要求送信手段と、上記カラオケ管理サーバから上記リクエスト履歴を受信し、該リクエスト履歴を上記携帯端末に提供するリクエスト履歴提供手段とを有する構成とされる。【選択図】        図１
2004334006.tif 000002
【特許請求の範囲】
【請求項１】
カラオケを利用したメンバーのメンバー情報及びメンバーがリクエストした歌唱済みの楽曲情報を示すリクエスト履歴を提供するカラオケリクエストシステムであって、
携帯端末から上記リクエスト履歴の要求を受信する要求受信手段と、
上記リクエスト履歴の要求にカラオケ装置を識別する識別番号を付加し、上記リクエスト履歴を管理するカラオケ管理サーバに上記リクエスト履歴の要求を送信する要求送信手段と、
上記カラオケ管理サーバから上記リクエスト履歴を受信し、該リクエスト履歴を上記携帯端末に提供するリクエスト履歴提供手段とを有することを特徴とするカラオケリクエストシステム。
【請求項２】
上記リクエスト履歴は、上記メンバーを識別するアドレス情報毎に歌唱済みの楽曲情報を有することを特徴とする請求項１記載のカラオケリクエストシステム。
【請求項３】
カラオケを利用したメンバーのメンバー情報及びメンバーがリクエストした歌唱済みの楽曲情報を示すリクエスト履歴を提供するカラオケリクエストシステムであって、
携帯端末は、上記カラオケを利用したメンバーを識別するアドレス情報を検索する検索手段と、
上記カラオケを利用したメンバーのリクエスト履歴の管理、及び上記リクエスト履歴の閲覧を要求する要求手段とを有し、
カラオケ装置は、上記携帯端末の上記要求手段から上記リクエスト履歴の管理要求を受信する要求受信手段と、
上記管理要求にカラオケ装置を識別する識別番号を付加し、上記楽曲情報を管理するカラオケ管理サーバに上記管理要求を送信する要求送信手段とを有し、
上記カラオケ管理サーバは、上記カラオケ装置から受信した上記管理要求に基づいて楽曲名、歌手名を示す楽曲情報を含むリクエスト履歴を生成し、該リクエスト履歴をリクエスト履歴提供サーバーに転送する転送手段を有し、
上記リクエスト履歴提供サーバーは、上記カラオケ管理サーバから受信した上記リクエスト履歴を管理するリクエスト履歴管理手段と、
上記携帯端末の上記要求手段からの要求に応じて、上記リクエスト履歴を上記携帯端末に提供するリクエスト履歴提供手段とを有することを特徴とするカラオケリクエストシステム。
【発明の詳細な説明】
【０００１】
【発明の属する技術分野】
本発明は、カラオケリクエストシステムに係り、特に、携帯端末の要求に応じて、以前にカラオケを利用したメンバーのメンバー情報及びメンバーがリクエストした楽曲情報を示すリクエスト履歴を提供するカラオケリクエストシステムに関する。
【０００２】
【従来の技術】
近年、自分の好みの楽曲をリクエストし、ＴＶ画面に表示される歌詞を見ながら歌って楽しむカラオケが盛んに利用されている。このようなカラオケシステムは、ＴＶ画面でリクエストされた楽曲の音声、映像、歌詞を出力させるカラオケ装置と、カラオケ装置に楽曲データを提供するカラオケ管理サーバとを有する。具体的には、カラオケ装置は、利用者のリモコン操作により、所定の楽曲ＩＤを受信し、受信した楽曲ＩＤをカラオケ管理サーバへ送信する。カラオケ管理サーバは、楽曲ＩＤに基づいて楽曲データをカラオケ装置に提供し、カラオケ装置でその楽曲データを出力し、利用者がマイクを用いて出力された楽曲を歌うことが可能となる。
【０００３】
カラオケ管理サーバでは、カラオケ装置でリクエストされる楽曲を漏れなく提供するために、一般的に知られている楽曲のうち非常に多くの楽曲データを管理している。カラオケ装置は、楽曲データを管理しているカラオケ管理サーバと通信を行い、利用者が要求する楽曲や最新のヒットチャートの楽曲を提供している。
【０００４】
【発明が解決しようとする課題】
しかしながら、従来のカラオケシステムにおいて、カラオケを利用する場合、複数のメンバーのうち同じメンバーと繰り返しカラオケを利用する場合が多く、以前に利用者自身や他のメンバーが歌った楽曲と同じ楽曲を歌わないようにするために、何の楽曲をリクエストして歌ったのか、またその時のメンバーを知るには、利用者の記憶に頼る以外に方法がないという問題点があった。また、多くのカラオケの利用者は携帯電話等の携帯端末を所持しており、この携帯端末に、一緒にカラオケに行くメンバーの電話番号、氏名及び電子メールアドレスなどのアドレス情報を保存している場合が多い。
【０００５】
そこで、本発明の課題は、利用者の携帯端末からの要求に応じてリクエスト履歴を利用者に提供し、以前にカラオケを利用したメンバーがリクエストした楽曲を認識することができるカラオケリクエストシステムを提供することである。
【０００６】
【課題を解決するための手段】
上記の課題を解決するため、本発明は、請求項１に記載されるように、カラオケを利用したメンバーのメンバー情報及びメンバーがリクエストした歌唱済みの楽曲情報を示すリクエスト履歴を提供するカラオケリクエストシステムであって、携帯端末から上記リクエスト履歴の要求を受信する要求受信手段と、上記リクエスト履歴の要求にカラオケ装置を識別する識別番号を付加し、上記リクエスト履歴を管理するカラオケ管理サーバに上記リクエスト履歴の要求を送信する要求送信手段と、上記カラオケ管理サーバから上記リクエスト履歴を受信し、該リクエスト履歴を上記携帯端末に提供するリクエスト履歴提供手段とを有する構成とされる。
【０００７】
このようなカラオケリクエストシステムでは、携帯端末からリクエスト履歴の要求を受信し、リクエスト履歴の要求にカラオケ装置を識別する識別番号を付加し、リクエスト履歴を管理するカラオケ管理サーバにリクエスト履歴の要求を送信し、カラオケ管理サーバからリクエスト履歴を受信し、リクエスト履歴を携帯端末に提供して携帯端末に表示させることにより、利用者は以前にカラオケを利用したメンバーのそれぞれがリクエストした楽曲を認識し、以前に歌った楽曲や他のメンバーが歌った楽曲を避けてカラオケでリクエストすることができる。また、以前歌った楽曲名や歌手名を思い出せない時などにも、リクエスト履歴を利用することができる。
【０００８】
携帯電話に保存されたアドレス情報、即ちメンバーを識別するアドレス情報を用いてリクエスト履歴の管理するという観点から、本発明は、請求項２に記載されるように、上記リクエスト履歴は、上記メンバーを識別するアドレス情報毎に歌唱済みの楽曲情報を有する構成としてもよい。
【０００９】
このようなカラオケリクエストシステムでは、リクエスト履歴はメンバーを識別するアドレス情報毎に歌唱済みの楽曲情報を有することにより、携帯電話に保存されたメンバーのアドレス情報を用いて管理要求されたリクエスト履歴を管理することができる。
【００１０】
また、上記の課題を解決するため、本発明は、請求項３に記載されるように、カラオケを利用したメンバーのメンバー情報及びメンバーがリクエストした歌唱済みの楽曲情報を示すリクエスト履歴を提供するカラオケリクエストシステムであって、携帯端末は、上記カラオケを利用したメンバーを識別するアドレス情報を検索する検索手段と、上記カラオケを利用したメンバーのリクエスト履歴の管理、及び上記リクエスト履歴の閲覧を要求する要求手段とを有し、カラオケ装置は、上記携帯端末の上記要求手段から上記リクエスト履歴の管理要求を受信する要求受信手段と、上記管理要求にカラオケ装置を識別する識別番号を付加し、上記楽曲情報を管理するカラオケ管理サーバに上記管理要求を送信する要求送信手段とを有し、上記カラオケ管理サーバは、上記カラオケ装置から受信した上記管理要求に基づいて楽曲名、歌手名を示す楽曲情報を含むリクエスト履歴を生成し、該リクエスト履歴をリクエスト履歴提供サーバーに転送する転送手段を有し、上記リクエスト履歴提供サーバーは、上記カラオケ管理サーバから受信した上記リクエスト履歴を管理するリクエスト履歴管理手段と、上記携帯端末の上記要求手段からの要求に応じて、上記リクエスト履歴を上記携帯端末に提供するリクエスト履歴提供手段とを有する構成とされる。
【００１１】
このようなカラオケリクエストシステムでは、携帯端末は、カラオケを利用したメンバーを識別するアドレス情報を検索し、カラオケを利用したメンバーのリクエスト履歴の管理、及びリクエスト履歴の閲覧を要求し、カラオケ装置は、携帯端末の要求手段からリクエスト履歴の管理要求を受信し、管理要求にカラオケ装置を識別する識別番号を付加し、楽曲情報を管理するカラオケ管理サーバに管理要求を送信し、カラオケ管理サーバは、カラオケ装置から受信した管理要求に基づいて楽曲名、歌手名を示す楽曲情報を含むリクエスト履歴を生成し、リクエスト履歴をリクエスト履歴提供サーバーに転送し、リクエスト履歴提供サーバーは、カラオケ管理サーバから受信したリクエスト履歴を管理し、携帯端末からの要求に応じてリクエスト履歴を提供することにより、利用者は以前にカラオケを利用したメンバーのそれぞれがリクエストした楽曲を認識し、以前に歌った楽曲や他のメンバーが歌った楽曲を避けてカラオケでリクエストすることができる。また、以前歌った楽曲名や歌手名を思い出せない時などにも、リクエスト履歴を利用することができる。
【００１２】
【発明の実施の形態】
以下、本発明の実施の形態を図面に基づいて説明する。
【００１３】
図１は、本発明の第１実施例に係るカラオケリクエストシステムにおける構成図である。図１において、カラオケリクエストシステム１０は、カラオケ店に設置され、利用者の携帯電話３から送信されたリクエスト履歴の要求に基づいて、リクエスト履歴を出力するカラオケ装置２０と、利用者からリクエストされたリクエスト履歴を管理し、リクエスト履歴をカラオケ装置２０に提供するカラオケ管理サーバ４０とで構成されている。また、専用回線網などのネットワーク１を介してカラオケ装置２０とカラオケ管理サーバ４０とが接続されている。
【００１４】
カラオケ装置２０は、データの送受信を制御する通信制御処理部２１と、カラオケ管理サーバー４０にリクエスト履歴を要求する要求処理部２２と、利用者の要求する楽曲データを出力する楽曲出力処理部２４と、リクエスト履歴の提供に関する処理を行うリクエスト処理装置２００とで構成されている。また、リクエスト処理装置２００は、カラオケ管理サーバ４０から受信したリクエスト履歴を携帯電話３に送信するリクエスト履歴送受信処理部２３と、携帯電話３からの赤外線３０を送受信する赤外線送受信部２５と、カラオケ管理サーバ４０にリクエスト履歴の管理を要求する管理要求処理部２６とで構成されている。
【００１５】
通信制御処理部２１は、リモコン（図示せず）からの赤外線の送受信を制御すると共に、ネットワーク１を介してカラオケ管理サーバ４０とのデータの送受信を制御する。要求処理部２２は、携帯端末３から受信したリクエスト履歴の要求に、カラオケ装置２０の識別番号を付加し、カラオケ管理サーバー４０にリクエスト履歴を要求する。楽曲出力処理部２４は、カラオケ管理サーバー４０から受信した楽曲データから映像及び文字情報や音声を出力する。これにより、利用者は画面に表示された映像及び文字を見ながら、音声に合わせて歌うことが可能となる。
【００１６】
リクエスト処理装置２００のリクエスト履歴送受信処理部２３は、カラオケ管理サーバー４０から受信したリクエスト履歴を携帯電話３に送信する。赤外線送受信部２５は、携帯電話３と赤外線３０を送受信し、リクエスト履歴の要求情報を抽出し、携帯電話３にリクエスト履歴を提供する。管理要求処理部２６は、カラオケ管理サーバー４０にリクエスト履歴の登録を要求する。要求処理部２２が、カラオケ装置２０を識別するカラオケ装置識別番号を付加するのは、一つ又は複数のカラオケ店に設置される複数のカラオケ装置２０は製造元が異なる場合があり、その製造元を識別するためである。これは、製造元毎に、楽曲に割り当てられた楽曲ＩＤが異なるため、楽曲ＩＤに対する楽曲名及び歌手名データを共通キーとしたテーブルをリクエスト履歴ＤＢ４６で別途管理するためにカラオケ装置識別番号が用いられる。このテーブルについては図５で詳細に説明する。尚、カラオケ装置２０のリクエスト処理装置２００を、外付けで設置することも可能である。尚、赤外線３０だけでなく、ブルーツゥースや無線ＬＡＮ等のあらゆる無線手段を利用してカラオケ装置２０と携帯電話３とのデータの送受信を行うようにしてもよい。
【００１７】
カラオケ管理サーバ４０は、サーバコンピュータであって、ＣＰＵ（中央処理装置）によって以下に示す各構成が制御される。ＣＰＵは、メモリユニットに格納されたプログラムに従ってカラオケリクエストシステム１０での処理を行う。このカラオケ管理サーバ４０は、主に、データ送受信の制御を行う通信制御処理部４１と、リクエスト履歴をカラオケ装置２０に提供するリクエスト履歴提供処理部４２と、楽曲ＩＤに応じた楽曲データをカラオケ装置２０に提供する楽曲提供処理部４３と、リクエスト履歴の管理、即ち、リクエスト履歴を格納する管理処理部４４と、楽曲ＩＤに対する楽曲データを格納した楽曲データＤＢ４５と、リクエスト履歴を格納したリクエスト履歴ＤＢ４６とで構成される。尚、リクエスト履歴ＤＢ４６に格納されるリクエスト履歴については、図４、図５で説明する。
【００１８】
通信制御処理部４１は、ネットワーク１を介してカラオケ装置２０とのデータの送受信を制御する。リクエスト履歴提供処理部４２は、カラオケ装置２０から送信された要求に応じて、リクエスト履歴をカラオケ装置２０に提供する。楽曲提供処理部４３は、カラオケ装置２０からリクエストされた楽曲ＩＤに応じた楽曲データをカラオケ装置２０に提供する。管理処理部４４は、カラオケ装置２０からリクエスト履歴の管理要求を受信すると、カラオケ装置２０を識別するカラオケ装置識別番号と共に、リクエスト履歴をリクエスト履歴ＤＢ４６に格納する。
【００１９】
携帯電話３は、携帯電話３のメモリに保存されたカラオケを利用するメンバーを識別するアドレス情報を検索するアドレス検索処理部３１と、リクエスト履歴の管理を要求する管理要求処理部３２と、リクエスト履歴を要求するリクエスト履歴要求処理部３３とで構成される。管理要求処理で携帯電話３に表示される画面、及びアドレス情報を検索する画面については図６で、リクエスト履歴を要求するための画面については図７で詳細に説明する。尚、携帯電話３に限定されることなく、ＰＤＡ（Ｐｅｒｓｏｎａｌ  Ｄｉｇｉｔａｌ  Ａｓｓｉｓｔａｎｔ）など、画面に必要な情報を入力し、カラオケ装置２０に送信可能な機能を有する携帯端末であれば適応可能である。
【００２０】
以下に、カラオケリクエスト処理のうち、カラオケ装置２０からリクエスト履歴を携帯電話３０に提供し、携帯電話３０の画面にリクエスト履歴が表示されるまでの手順について簡単に説明する。尚、本発明では、カラオケリクエスト処理を実行する前提として、携帯電話３の管理要求処理部３２により、以前にカラオケを利用した時にリクエスト履歴を管理する要求が行われ、リクエスト履歴ＤＢ４６にそのリクエスト履歴が格納されているものとする。先ず、利用者が携帯電話３から、リクエスト履歴の要求を含む赤外線３０をカラオケ装置２０へ向けて送信する。カラオケ装置２０は、赤外線送受信部２５により赤外線３０を受信し、リクエスト履歴の要求を抽出する。要求処理部２２は、抽出されたリクエスト履歴の要求に、カラオケ装置２０を識別するカラオケ装置識別番号を付加し、カラオケ管理サーバ４０に送信する。カラオケ管理サーバ４０のリクエスト履歴提供処理部４２は、受信した要求に応じて、リクエスト履歴ＤＢ４６に格納されたリクエスト履歴を抽出し、所定のカラオケ装置２０に送信する。カラオケ装置２０では、送信されたリクエスト履歴を携帯電話３０に提供し、携帯電話３０の画面に表示される。
【００２１】
このように、カラオケ装置２０は、携帯端末３０からリクエスト履歴の要求を受信し、リクエスト履歴の要求にカラオケ装置を識別する識別番号を付加してカラオケ管理サーバ４０にリクエスト履歴を要求し、カラオケ管理サーバ４０から受信したリクエスト履歴を携帯電話３に提供して携帯電話３の画面に表示させることにより、利用者は以前に利用者及びメンバーがリクエストした楽曲を認識し、以前に歌った楽曲や他のメンバーが歌った楽曲を避けてカラオケでリクエストすることができる。また、以前歌った楽曲名や歌手名を思い出せない時などにも、リクエスト履歴を利用することができる。
【００２２】
次に、カラオケ装置２０で実行されるカラオケリクエスト処理の手順について説明する。図２は、カラオケ装置でのカラオケリクエスト処理のフローチャートを示す図である。図２において、先ず、ステップＳ１０の処理で、カラオケ装置２０の赤外線送受信部２５は、携帯電話３から赤外線３０を受信したか否かを判断する。ステップＳ１０の処理で、赤外線３０を受信しなかった場合、ステップＳ１０の処理を繰り返す。ステップＳ１０の処理で、赤外線３０を受信した場合、ステップＳ１１の処理で、赤外線送受信部２５は、受信したデータにカラオケ装置２０を識別するカラオケ装置識別番号を付加し、要求情報を生成する。ステップＳ１２の処理で、要求処理部２２は、生成された要求情報をカラオケ管理サーバ４０に送信する。ステップＳ１３の処理で、リクエスト履歴送受信処理部２３は、カラオケ管理サーバ４０からリクエスト履歴を受信する。ステップＳ１４の処理で、リクエスト履歴送受信処理部２３は、リクエスト履歴を携帯電話３に送信する。ここで、携帯電話３の画面には、受信したリクエスト履歴が表示される。これにより、利用者は、携帯電話３の画面に表示されたリクエスト履歴から、以前にカラオケを利用したメンバー及びメンバーのそれぞれが歌った楽曲を認識することができる。また、利用者は、携帯電話３の画面に表示されたリクエスト履歴に基づいて、次にリクエストする楽曲を決定し、その楽曲を識別する番号（楽曲ＩＤ）をリモコンからカラオケ装置２０に送信する。
【００２３】
ステップＳ１５の処理で、通信制御処理部２１は、リモコンから楽曲ＩＤを受信する。ステップＳ１６の処理で、通信制御処理部２１は、楽曲ＩＤにカラオケ装置識別番号を付加してカラオケ管理サーバ４０に送信する。ステップＳ１７の処理で、楽曲出力処理部２４は、カラオケ管理サーバ４０から楽曲データを受信する。ステップＳ１８の処理で、楽曲出力処理部２４は、受信した楽曲データに基づいて出力処理を実行する。
【００２４】
このように、カラオケ装置２０は携帯電話３からの赤外線３０に付加された要求に応じてカラオケ管理サーバ４０にリクエスト履歴を要求し、カラオケ管理サーバ４０から受信したリクエスト履歴を携帯電話３に提供し、その携帯電話３の画面に表示させることにより、利用者は、認識以前にカラオケを利用したメンバー及びメンバーのそれぞれが歌った楽曲を認識し、以前に歌った楽曲や他のメンバーが歌った楽曲を避けてカラオケでリクエストすることができる。また、以前歌った楽曲名や歌手名を思い出せない時などにも、リクエスト履歴を利用することができる。
【００２５】
次に、カラオケ管理サーバ４０で実行されるカラオケリクエスト処理の手順について説明する。図３は、カラオケ管理サーバでのカラオケリクエスト処理のフローチャートを示す図である。図３において、先ず、ステップＳ３０の処理で、カラオケ管理サーバ４０の通信制御処理部４１は、カラオケ装置２０からリクエスト履歴の要求を受信したか否かを判断する。ステップＳ３０の処理で、カラオケ装置２０からリクエスト履歴の要求を受信した場合、ステップＳ３１の処理で、リクエスト履歴提供処理部４２は、リクエスト履歴ＤＢ４６から所定のリクエスト履歴を抽出する。ステップＳ３２の処理で、リクエスト履歴提供処理部４２は、抽出したリクエスト履歴をカラオケ装置２０へ提供する。ステップＳ３３の処理で、楽曲提供処理部４３は、楽曲ＩＤ（及びカラオケ装置識別番号）を受信したか否か、即ち、楽曲データの要求を受信したか否かを判断する。
【００２６】
ステップＳ３３の処理で、楽曲データの要求を受信しなかった場合、ステップＳ３０からの処理を繰り返す。ステップＳ３３の処理で、楽曲データの要求を受信した場合、ステップＳ３４の処理で、楽曲提供処理部４３は、楽曲データＤＢ４５から楽曲ＩＤに対する楽曲データを抽出し、所定のカラオケ装置２０に送信する。ステップＳ３５の処理で、管理処理部４４は、カラオケ装置２０からの楽曲データの要求の受信時と共に、又は楽曲データの送信後に、管理要求を受信したか否かを判断する。ステップＳ３５の処理で、管理要求を受信しなかった場合、カラオケリクエスト処理を終了する。ステップＳ３５の処理で、管理要求を受信した場合、ステップＳ３６の処理で、管理処理部４４は、送信した楽曲データに関するリクエスト履歴、例えば、楽曲ＩＤ、メンバーの氏名と電話番号、カラオケ装置識別番号リクエスト履歴ＤＢ４６に格納する。また、ステップＳ３０の処理で、カラオケ装置２０からリクエスト履歴の要求を受信しなかった場合、ステップＳ３３からの処理を繰り返す。
【００２７】
このように、カラオケ管理サーバ４０では、カラオケ装置２０からの要求に応じてリクエスト履歴をカラオケ装置２０に提供し、また、カラオケ装置２０へ楽曲データを送信すると共に、カラオケ装置２０から管理要求がある場合、リクエスト履歴ＤＢ４６にリクエスト履歴を格納して管理することにより、利用者の携帯電話３にリクエスト履歴を提供することができる。
【００２８】
次に、リクエスト履歴ＤＢ４６に格納されるテーブルについて説明する。図４は、リクエスト履歴ＤＢに格納されるテーブルを示す図である。図４に示すテーブル１００は、カラオケ装置２０の管理要求処理部２６から送信された要求に基づいて格納されたリクエスト履歴を示している。テーブル１００には、カラオケ装置２０が設置されたカラオケ店で発行された利用者の会員番号を示す項目と、利用者の氏名及び携帯電話３の携帯電話番号を示す項目と、歌唱済み楽曲ＩＤを示す項目と、その時のメンバー氏名及び携帯電話番号を示す項目と、カラオケを利用した日時を示す項目と、カラオケ装置２０を識別する番号を示す項目と、リクエスト履歴を識別するための番号を示す項目とで構成されている。例えば、テーブル１００には、会員番号「１０００１」、氏名、携帯電話番号「空桶  歌男、０９０ｘｘｘｘｘｘｘｘ」と、その利用者が歌った歌唱済み楽曲ＩＤ「１１１１」、「２２２２」、「３３３３」、「４４４４」と、メンバー氏名、携帯電話番号「陸柄  簾登、０９０ｘｘｘｘｚｚｚｚ」、「山田  太郎、０９０ｙｙｙｙｘｘｘｘ」、「鈴木  次郎、０９０ｚｚｚｚｙｙｙｙ」と、カラオケ利用日時「２００３年４月１０日、１６：４８〜１９：５５」と、カラオケ装置識別番号「９９９９９」と、リクエスト履歴番号「１２３４５」とが格納されている。
【００２９】
次に、リクエスト履歴ＤＢ４６に格納される歌唱済み楽曲ＩＤに関するテーブルについて説明する。図５は、リクエスト履歴ＤＢ４６に格納されるテーブルを示す図である。図５に示すテーブル１０５は、図４に示すテーブル１００に基づいて生成された氏名（メンバー氏名）及び携帯電話番号毎の歌唱済み楽曲ＩＤに関するテーブルを示している。テーブル１０５には、氏名（メンバー氏名）及び携帯電話番号を示す項目と、リクエスト履歴番号を示す項目と、歌唱済み楽曲ＩＤを示す項目と、その歌唱済み楽曲ＩＤとテーブル１００のカラオケ装置識別番号項目から識別された製造元とに基づいて生成された楽曲名を示す項目と、歌手名を示す項目とで構成されている。例えば、テーブル１０５には、氏名（メンバー氏名）及び携帯電話番号「空桶  歌男、０９０ｘｘｘｘｘｘｘｘ」と、リクエスト履歴番号「１２３４５」と、歌唱済み楽曲ＩＤ「１１１」、「２２２２」、「３３３３」、「４４４４」と、その歌唱済み楽曲ＩＤに対する楽曲名「ａａａａａ」、「ｂｂｂ」、「ｃｃｃｃｃｃ」、「ｄｄｄｄｄｄ」と、歌手名「△△△△」、「□□□」、「××××」、「◇◇◇◇」とが格納されている。
【００３０】
カラオケ装置２０から利用者の携帯電話３により指定された氏名及び携帯電話番号に対するリクエスト履歴の要求があった場合、カラオケ管理サーバ４０は、テーブル１００、テーブル１０５の必要な項目から生成されたリクエスト履歴をカラオケ装置２０に提供する。尚、図４、図５のテーブル１００、１０５に示す項目に限定されることなく、カラオケで歌った時に採点された点数などを格納するようにしてもよい。
【００３１】
次に、リクエスト履歴を管理要求する際に携帯電話３に表示される画面について説明する。図６は、管理要求処理において携帯電話に表示される画面図である。尚、ここでは、携帯電話３に表示させる画面は、カラオケ管理サーバ４０で作成、管理され、携帯電話３からの要求に応じて携帯電話網を介して携帯電話３に提供するものとする。また、この画面を使用する前に、利用者がカラオケリクエスト履歴を管理するサービスを受ける契約登録を行っているものとする。この時、カラオケ店が管理する会員番号を用いて容易にリクエスト履歴の管理要求を行うことも可能である。
【００３２】
図６（Ａ）に示す画面１１０は、携帯電話３に表示されるカラオケリクエスト履歴の管理要求を行なうための画面を示している。画面１１０には、携帯端末３の利用者の氏名を入力する入力域１１１と、その利用者の携帯電話番号を入力する入力域１１２と、カラオケのメンバーの氏名、携帯電話番号を入力する入力域１１３と、そのメンバーの氏名、携帯電話番号、即ちアドレス情報を検索するためのアドレス検索ボタン１１４と、カラオケ装置２０へ送信するためのボタン１１５とが表示される。たとえば、利用者が、画面１１０の入力域１１１に、利用者の氏名「空桶  歌男」、入力域１１２に携帯電話番号「０９０ｘｘｘｘｘｘｘｘ」、入力域１１３に「山田  太郎、０９０ｙｙｙｙｘｘｘｘ」、「鈴木  次郎、０９０ｚｚｚｚｙｙｙｙ」を入力したとする。ここで、もう一人のメンバー（メンバー氏名、携帯電話番号「陸柄  簾登、０９０ｘｘｘｘｚｚｚｚ」）を入力したい場合、アドレス検索を行うボタン１１４を選択すると、図６（Ｂ）に示す画面１２０が表示される。
【００３３】
図６（Ｂ）に示す画面１２０は、携帯電話３に保存されたアドレス情報の一覧からメンバーを検索するための画面である。画面１２０には、アドレス情報の一覧を示す表示選択域１２１と、選択されたアドレス情報を決定するための決定ボタン１２２とが表示される。例えば、表示選択域１２１からメンバー氏名、携帯電話番号である「陸柄  簾登、０９０ｘｘｘｘｚｚｚｚ」を選択すると、そのアドレス情報部分に網掛け表示される。この状態で決定ボタン１２２を選択すると、図６（Ａ）に示す入力域１１３にこのメンバーのアドレス情報が表示される。
【００３４】
このように、携帯電話３に保存されたアドレス情報を用いてリクエスト履歴の入力操作を行うことができるため、リクエスト履歴の管理要求を効率良く、容易に行うことができる。
【００３５】
次に、カラオケリクエスト処理において、リクエスト履歴を要求する際に携帯電話３に表示される画面について説明する。図７は、カラオケリクエスト処理において携帯端末に表示される画面図である。図７に示す画面１３０は、携帯電話３に表示されるリクエスト履歴の要求を行うための画面を示している。画面１３０には、利用者の以前歌ったときの楽曲リストを選択する選択域１３１と、他のメンバーの楽曲リストを選択する選択域１３２と、そのメンバーの氏名を入力する入力域１３３と、そのメンバーの氏名をアドレス情報から検索するためのボタン１３４と、選択及び入力した情報をカラオケ装置２０へ送信するためのボタン１３５とが表示される。例えば、メンバー氏名を入力域１３３に入力する場合、アドレス検索するボタン１３４を選択すると、図６（Ｂ）に示す画面１２０と同様の画面が表示され、その画面から所定のメンバーの氏名を選択する。尚、画面１３０を複数選択可能な設定にすることも可能であり、その場合、カラオケ管理サーバ４０から複数のメンバー（利用者を含む）のリクエスト履歴をカラオケ装置２０に提供し、表示させることができる。また、入力域１３３にメンバー氏名「陸柄  簾登」を入力し、選択域１３２を選択して送信ボタン１３５を選択すると、リクエスト履歴の要求が赤外線３によりカラオケ装置２０に送信される。また、カラオケ装置２０では、リクエスト履歴の要求に応じてカラオケ管理サーバ４０からリクエスト履歴を受信し、赤外線３により携帯電話３に送信する。携帯電話３では、画面にリクエスト履歴が表示される。
【００３６】
次に、カラオケ装置２０の画面に表示されるリクエスト履歴について説明する。図８は、リクエスト履歴を示す画面図である。図８に示す画面１４０は、携帯電話３の画面に表示され、携帯電話３から要求された条件（図７に示す画面で設定される条件）でカラオケ管理サーバ４０から送信されるリクエスト履歴を示している。画面１４０には、リクエスト履歴の管理を要求した利用者の氏名及び携帯電話番号、リクエスト履歴番号、カラオケを利用した日時、他のメンバーの氏名及び携帯電話番号を示す表示域１４１と、歌唱済み楽曲ＩＤ、楽曲名、歌手名を示す表示域１４２とが表示される。
【００３７】
このように、本発明のカラオケリクエストシステム１０は、携帯電話３（携帯端末）からカラオケ装置２０に、リクエスト履歴の管理要求、及びリクエスト履歴の要求を送信し、カラオケ装置２０はリクエスト履歴をカラオケ管理サーバ４０から取得し、そのリクエスト履歴を携帯電話３に送信し、図８に示すように携帯電話３の画面にリクエスト履歴を表示させることにより、以前に利用者及びメンバーがリクエストした楽曲を認識し、以前に歌った楽曲や他のメンバーが歌った楽曲を避けてカラオケでリクエストすることができる。また、以前歌った楽曲名や歌手名を思い出せない時などにも、リクエスト履歴を利用することができる。
【００３８】
尚、取得したリクエスト履歴、又は楽曲名などリクエスト履歴の一部を携帯電話３に保存し、次回カラオケを利用する際に携帯電話３に保存したリクエスト履歴を参照してリクエストを行うようにしてもよい。
【００３９】
次に、本発明の第２実施例に係るカラオケリクエストシステムについて説明する。図９は、本発明の第２実施例に係るカラオケリクエストシステムにおける構成図である。図９に示すカラオケリクエストシステム１１において、図１に示すカラオケリクエストシステム１０と同様の構成には同符号を付して説明を省略する。また、図９に示す携帯電話３は、図１に示す携帯電話３の構成と同様であるため、図示及び説明を省略する。本発明の第２実施例のカラオケリクエストシステム１１は、リクエスト履歴提供サーバ５０を有する。リクエスト履歴提供サーバ５０は、ＡＳＰ（Ａｐｐｌｉｃａｔｉｏｎ  Ｓｅｒｖｉｃｅ  Ｐｒｏｖｉｄｅｒ）としてのサービス業務を行うサーバコンピュータであって、ＣＰＵによって以下に示す各構成が制御される。ＣＰＵは、メモリユニットに格納されたプログラムに従ってカラオケリクエストシステム１１での処理を行う。リクエスト履歴提供サーバ５０は、主に、データ送受信の制御を行う通信制御処理部５１と、リクエスト履歴を携帯電話３に提供するリクエスト履歴提供処理部５２と、リクエスト履歴を管理する管理処理部４４と、リクエスト履歴が格納されたリクエスト管理ＤＢ４６とで構成されている。
【００４０】
通信制御処理部５１は、ネットワーク１を介してカラオケ管理サーバ４０とのデータの送受信を制御する。また、通信制御処理部５１は、携帯電話網２及び基地局４を介して携帯電話３とのデータの送受信を制御する。リクエスト履歴提供処理部５２は、リクエスト履歴ＤＢ４６から所定のリクエスト履歴を抽出して携帯電話３にリクエスト履歴を提供する。また、カラオケ管理サーバ４０は、リクエスト履歴提供サーバ５０にリクエスト履歴を管理するためのデータを転送するリクエスト履歴転送処理部４７を有する。特に、リクエスト履歴転送処理部４７は、リクエスト履歴の管理要求に基づいて楽曲名、歌手名を示す楽曲情報を含むリクエスト履歴を生成し、そのリクエスト履歴をリクエスト履歴提供サーバ５０に転送する。
【００４１】
次に、本発明の第２実施例のカラオケリクエストシステム１１で実行されるカラオケリクエスト処理について説明する。先ず、携帯電話３の管理要求処理部３２からカラオケ装置２０へリクエスト履歴の管理要求を送信すると、カラオケ装置２はリクエスト履歴の管理要求をカラオケ管理サーバ４０に送信する。カラオケ管理サーバ４０は、リクエスト履歴を管理するためのデータをリクエスト履歴提供サーバ５０へ提供する。リクエスト履歴提供サーバ５０の管理処理部４４は、伝送されたリクエスト履歴をリクエスト履歴ＤＢ４６に格納する。
【００４２】
このように、リクエスト履歴が管理されている状態で、携帯電話３のリクエスト履歴要求処理部３３によりリクエスト履歴の要求を、基地局４及び携帯電話網２を介してリクエスト履歴提供サーバ５０へ提供する。リクエスト履歴提供サーバ５０では、リクエスト履歴の要求を受信すると、リクエスト履歴提供処理部５２により、リクエスト履歴ＤＢ４６に格納されたリクエスト履歴を抽出し、携帯電話網２及び基地局４を介して携帯電話３にリクエスト履歴を提供する。
【００４３】
このように、リクエスト履歴提供サーバ５０で管理されたリクエスト履歴を、利用者の携帯電話３に提供し、携帯電話３の画面に表示させることができ、利用者は他のメンバーに知られることなく所定のメンバーのリクエスト履歴を閲覧することができ、以前に利用者及びメンバーがリクエストした楽曲を認識し、以前に歌った楽曲や他のメンバーが歌った楽曲を避けてカラオケでリクエストすることができる。
【００４４】
【発明の効果】
上述の如く本発明によれば、携帯端末からリクエスト履歴の要求を受信し、リクエスト履歴の要求にカラオケ装置を識別する識別番号を付加し、リクエスト履歴を管理するカラオケ管理サーバにリクエスト履歴の要求を送信し、カラオケ管理サーバからリクエスト履歴を受信し、リクエスト履歴を携帯端末に提供して携帯端末に表示させることにより、利用者は以前にカラオケを利用したメンバーのそれぞれがリクエストした楽曲を認識し、以前に歌った楽曲や他のメンバーが歌った楽曲を避けてカラオケでリクエストすることができる。また、以前歌った楽曲名や歌手名を思い出せない時などにも、リクエスト履歴を利用することができる。
【図面の簡単な説明】
【図１】本発明の第１実施例に係るカラオケリクエストシステムにおける構成図である。
【図２】カラオケ装置でのカラオケリクエスト処理のフローチャートを示す図である。
【図３】カラオケ管理サーバでのカラオケリクエスト処理のフローチャートを示す図である。
【図４】リクエスト履歴ＤＢに格納されるテーブルを示す図である。
【図５】リクエスト履歴ＤＢに格納されるテーブルを示す図である。
【図６】管理要求処理において携帯端末に表示される画面図である。
【図７】カラオケリクエスト処理において携帯端末に表示される画面図である。
【図８】リクエスト履歴を示す画面図である。
【図９】本発明の第２実施例に係るカラオケリクエストシステムにおける構成図である。
【符号の説明】
１            ネットワーク
２            携帯電話網
３            携帯電話
４            基地局
１０、１１    カラオケリクエストシステム
２０          カラオケ装置
２１          通信制御処理部
２２          要求処理部
２３          リクエスト履歴送受信部
２４          楽曲出力処理部
２５          赤外線受信処理部
２６          管理要求処理部
３１          アドレス検索処理部
３２          管理要求処理部
３３          リクエスト履歴要求処理部
４０          カラオケ管理サーバ
４１          通信制御処理部
４２、５２    リクエスト履歴提供処理部
４３          楽曲提供処理部
４４          管理処理部
４５          楽曲データＤＢ
４６          リクエスト履歴ＤＢ
４７          リクエスト履歴転送処理部
５０          リクエスト履歴提供サーバ
５１          通信制御処理部
【図１】
2004334006.tif 000003
【図２】
2004334006.tif 000004
【図３】
2004334006.tif 000005
【図４】
2004334006.tif 000006
【図５】
2004334006.tif 000007
【図６】
2004334006.tif 000008
【図７】
2004334006.tif 000009
【図８】
2004334006.tif 000010
【図９】
2004334006.tif 000011